(57)【要約】【課題】  一回のヒモ通し作業のみで簡便に結束することが可能な結束補助器具およびそれに使用する結束用ヒモ収納カートリッジの提供。【解決手段】  結束対象物を載置する基台と、載置された結束対象物を固定する固定部材と、結束用のヒモを掛けるフックを端部側に備えたヒモ通し部材とからなる結束補助器具であって、前記基台の上面の一の対角線には前記ヒモ通し部材を挿入するための溝部を設けるとともに、前記溝部を挟んだ他の対角側には基台上面との段差を形成するための底上げ部を対に設けたことを特徴とする結束補助器具。【選択図】  図１
2006347632.tif 000002
【特許請求の範囲】
【請求項１】
結束対象物を載置する基台と、載置された結束対象物を固定する固定部材と、結束用のヒモを掛けるフックを端部側に備えたヒモ通し部材とからなる結束補助器具であって、前記基台の上面の一の対角線には前記ヒモ通し部材を挿入するための溝部を設けるとともに、前記溝部を挟んだ他の対角側には基台上面との段差を形成するための底上げ部を対に設けたことを特徴とする結束補助器具。
【請求項２】
前記底上げ部がその一辺を前記溝部に沿うように形成し、さらに該辺から前記基台の外辺方向に延びる二辺を、該基台上面を縦横にそれぞれ二分割する中心線に一致するように設けたことを特徴とする請求項１に記載の結束補助器具。
【請求項３】
前記基台が前記底上げ部と前記基台の外辺との間に前記固定部材を取り付けるための複数の取り付け孔を備えたことを特徴とする特徴とする請求項１もしくは請求項２のいずれかの項に記載の結束補助器具。
【請求項４】
前記基台がその底部にキャスターを備えたことを特徴とする請求項１ないし請求項３のいずれかの項に記載の結束補助器具。
【請求項５】
請求項１ないし請求項４に記載の結束補助器具のヒモ通し部材に載置して使用する結束用ヒモ収納カートリッジであって、複数の結束用ヒモを収納および取り出し可能な上部が開口したヒモ収納部に、前記ヒモ通し部材のフックに対応した位置に該フックの挿入部を備えたことを特徴とする結束用ヒモ収納カートリッジ。
【請求項６】
前記ヒモ収納部の開口の一部もしくは全部に、開閉自在に設けられたフタ体を備えたことを特徴とする請求項５に記載の結束用ヒモ収納カートリッジ。
【発明の詳細な説明】
【技術分野】
【０００１】
本発明は、新聞・雑誌等を積み重ねて載置した状態のまま結束するための結束補助器具であって、更に詳細には、結束対象物の対角線に沿ってヒモ通しを行うことで、一回のヒモ通し作業のみで簡便に結束することが可能な結束補助器具およびそれに使用する結束用ヒモ収納カートリッジに関するものである。
【背景技術】
【０００２】
従来から、新聞・雑誌等をまとめて保管・処分等する際には、ある程度の量を束にしてひもで結わくと便利であるため、かかる結束作業は日常的に行われている。
【０００３】
この結束作業は、束ねる新聞等が嵩高くなるにつれ、その重さ等によってヒモを下部に通す作業が困難になるため、かかる作業をより簡便化するための技術が開発されている。これらの技術はいずれも、束ねた新聞等を持ち上げたりすることなく、積み重ねて載置した状態のまま結束することを可能とするものである。
【０００４】
しかしながら、例えば、特許文献１に開示されたものは、結束する対象物の長手辺よりも長いヒモ通し棒を、対象物の下に縦横二回、完全に挿通させてヒモ通しを行わなければならず、また、前記ヒモ通し棒が長いこともあり、簡易に結束作業を行えるものではなかった。
【０００５】
また、特許文献２に開示されたものは、対象物の下に手の入る空間を確保することにより結束する対象物を持ち上げずに作業を行えるものであるが、束ねる新聞等が嵩高くなると、やはり、手でいちいちヒモ通しを行わなければならないことは面倒な作業であった。
【０００６】
【特許文献１】特開２００３−１６０１０５
【特許文献２】特開２００２−２８４１２２
【発明の開示】
【発明が解決しようとする課題】
【０００７】
そこで本発明は、従来の結束補助器具のかかる欠点を克服し、結束対象物の対角線に沿ってヒモ通しを行うことで、一回のヒモ通し作業のみで簡便に結束することが可能な結束補助器具の提供をその課題とするものである。
【課題を解決するための手段】
【０００８】
本発明は、上記課題を解決するものであり、結束対象物を載置する基台と、載置された結束対象物を固定する固定部材と、結束用のヒモを掛けるフックを端部側に備えたヒモ通し部材とからなる結束補助器具であって、前記基台の上面の一の対角線には前記ヒモ通し部材を挿入するための溝部を設けるとともに、前記溝部を挟んだ他の対角側には基台上面との段差を形成するための底上げ部を対に設けたことを特徴とする結束補助器具である。
【０００９】
さらに、本発明は、ヒモ通し部材に載置して使用する結束用ヒモ収納カートリッジであって、複数の結束用ヒモを収納および取り出し可能な上部が開口した収納体に、前記ヒモ通し部材のフックに対応した位置に該フックの挿入部を備えたことを特徴とする結束用ヒモ収納カートリッジである。
【発明の効果】
【００１０】
本発明の結束補助器具は、結束対象物の対角線に沿ってヒモ通しを行うため、ヒモ通し部材を用いたヒモ通し作業は一回のみで済み、更に、溝部の両側の基台上面に、他の基台上面との段差を形成するための底上げ部が設けられているため、結束対象物を積み重ねて載置した状態のままで、下部の交差結束を容易に行うことが出来る。
【００１１】
また、本発明の結束用ヒモ収納カートリッジは、一旦、このカートリッジをヒモ通し部材にセットすれば、その後ヒモを補充することなく結束作業を連続して行うことができる。すなわち、ヒモ通し作業は最初の一回のみでよく、カートリッジ内のヒモを使い切った時には、新たなカートリッジをセットするだけで、再び結束作業を行うことができ、更に、いちいちヒモを適宜な長さに繰り出したりカットしたりする手間も省けるため、作業量も大幅に軽減する。
【発明を実施するための最良の形態】
【００１２】
以下、本発明の結束補助器具の一実施態様を、図面に基づいて具体的に説明する。なお、本発明はこれら実施態様に何ら制約されるものではない。
【００１３】
図１は本発明に係る結束補助器具を示す斜視図、図２は本発明に係る結束補助器具を示す平面図、図３は本発明に係る結束補助器具の固定板を示す斜視図、図４は本発明に係る結束補助器具のヒモ通し部材を示す斜視図である。各図中、1は結束補助器具、２は基台、３は溝部、４は底上げ部、５は固定部材、６はヒモ通し部材、６１はフック、６１１はローラー部、７はかんぬき部、７１は取り付け孔、７２は受け部材、８はヒモ通しリング、９はヒモ固定部、１０はヒモ切り用カッター、１１はヒモ保持部、１２はキャスターを、更に、ｘは基台上面を縦に二分割する中心線、ｙは基台上面を横に二分割する中心線をそれぞれ示す。
【００１４】
図１に示すように、基部２の上面にはその一の対角線に沿って溝部３が形成されている。この溝部３は、ヒモ通し部材６を挿入することができるものであればよく、溝の幅、深さ、形状等は特に限定されないが、ヒモ通し部材６の挿入をよりスムーズに行うために、ヒモ通し部材６の厚さにフック６１の高さを加えた長さよりも、深く形成することが好ましい。
【００１５】
また、溝部３を挟んだ基台２上面の他の対角側には、基台上面との段差を形成するための底上げ部４が形成されている。すなわち、底上げ部４は、図２に示すように（図中網掛け部分）、前記基台２上面を縦横にそれぞれ二分割する中心線ｘおよびｙにより四面（ａ１、ａ２、ｂ１、ｂ２）に分割したときに、前記溝部３が設けられていない対角側の二面（ａ１、ａ２）に、溝部３を挟んで対に設けられている。より詳細には、その一辺が前記溝部３の側壁に沿って形成され、該辺から前記基台２の外縁方向に延びる二辺を、前記中心線ｘおよびｙにそれぞれ一致するように形成されている。この位置に設けられた理由は、後述するように、結束作業の際に、下部の交差をより行いやすくするためである。なお、この底上げ部４の該二辺と中心線ｘおよびｙは必ずしも一致している必要はなく、下部の交差作業に支障をきたさない範囲で適宜変更してよい。また、底上げ部４の高さ（厚み）については、特に制限はなく、底上げ部４以外の基台２上面と載置された結束対象物との間に、結束用ヒモを自在に移動させることが可能なだけの空間が確保できればよく、特に、１ｃｍ〜２ｃｍ程度が好ましい。
【００１６】
基台２底面には、キャスター１２が設けられており、結束対象物を載置したまま、移動・運搬することができる。更に、基台２に牽引用の持ち手（図示せず）などを併せて取り付けると、より簡単に移動・運搬が可能となるため好ましい。
【００１７】
図１に示すように、溝部３近傍の基台２側面にはヒモ通しリング８およびヒモ固定部９が、また、固定部材５と対応する位置の基台２側面にはかんぬき部７の受け部材７２がそれぞれ設けられている。
【００１８】
図３に示すように、基台２へ取り付けられる固定部材５は板状であり、図２に示すように、この固定部材５を対角の位置にＬ字形を形成するよう基台２へ取り付けることにより、結束対象物の角を固定する。固定部材５の下部には支持部材５１が、また、その反対側の面の下部にはかんぬき部７がそれぞれ設けられている。固定部材５の基台２への取り付け方法は、まず、支持部材５１を底上げ部４の側壁面に形成された孔部（図示せず）に嵌合させる。次に、結束対象物の大きさに合わせて固定部材５を前後に移動して位置決めをし、複数設けられた取り付け孔７１もしくは受け部材７２の孔のうち、任意の孔を選択してかんぬき部７を嵌合させることにより取り付けが完了する。更に、図１に示すように、固定部材５のうち、任意の板には、結束用のヒモをカットするためのカッター１０および、結束用ヒモの束を掛けておくためのフック状のヒモ保持部１１が形成されている。
【００１９】
図４に示すように、ヒモ通し部材６はその端部側に結束用ヒモを引っかけるためのフック６１を備えた長板状に形成されており、いずれの端部側からも、溝部３に挿入できるようになっている。また、フック６１にはローラー部６１１が設けられており、これが滑車の役割を果たすため、フック６１にかけられた結束用ヒモの繰り出し作業を、よりスムーズに行うことができる。なお、かかるローラー部を、基台２の外辺部等で結束用ヒモが当接する部分に設ければ、一連の繰り出し作業がスムーズに運ぶため好ましい。
【００２０】
以下に、図５ないし図９により本実施態様の結束補助器具を用いた結束作業の流れを説明する。図中、ｏは結束対象物、ｓは結束用ヒモをそれぞれ示す。まず、図５に示すように、結束対象物を基台２上面に載置する。次に、結束用ヒモの束をヒモ保持部１１に掛けて、その端部をヒモ通しリング８より通し、ヒモ通し部材６のフック６１（この場合、挿入先端側）に引っかけてから、ヒモ固定部９に固定する。
【００２１】
図５の状態から、ヒモ通し部材６を溝部３内へと挿入する。この時、ヒモ端部は、ヒモ固定部９に固定されているので、挿入を進めるに従い、ヒモ保持部１１に掛けられたヒモの束から、ヒモが順次繰り出される。
【００２２】
図６に示すように、ヒモ通し部材６の溝部３内への挿入が完了すると、ヒモ通し部材６の先端のフック６１は結束対象物の下部を通過して、挿入した側と対角の側に露出する。ここで、フック６１に引っかけられたヒモを手で引っ張って、ヒモの折り返し先端側に輪を作るように、ヒモをねじる。
【００２３】
次に、図７に示すように、ヒモを結束対象物の下部より引っ張り出しながら、ヒモの折り返し先端側の輪を結束対象物の角に掛けるようにして上に持ち上げる。
【００２４】
次に、図８に示すように、上記輪を結束対象物の上部中央付近にまでもってくるように更にヒモを引っ張り、適当な長さで挿入側のヒモをカッター１０でカットし、ヒモ固定部９に固定してあったヒモ端部を外す。そして、自由になったヒモの両端部を、上記輪を掛けた側の角とは対角側の辺の真ん中程から結束対象物の上部中央方向へと持ち上げる。
【００２５】
最後に、図９に示すように、結束対象物の上部中央付近にて、ヒモの両端部と上記輪の端部とを交差させて結ぶ。ここに至って結束作業は終了する。
【００２６】
上述のとおり、底上げ部４が形成されていない部分の基台２上面と載置された結束対象物の底部との間に空間が生じ、この空間において、結束用ヒモを自在に移動させることが可能となるので、結束対象物を持ち上げたり傾けることなく、下部の交差作業を容易に行うことができる（図８）。さらに、中心線ｘおよびｙにそれぞれ一致するように底上げ部４の二辺が形成されていることにより、自ずと、結束用ヒモは結束対象物の下部中心において直交に交差する（図９）。したがって、本発明の結束補助器具を用いた結束作業では、結束対象物の下のヒモ通し作業は一回で済む上、下部の交差作業も自ずと結束対象物の中心で直交になるため、結束作業は大幅に簡易化される。
【００２７】
次に、ヒモ通し部材６に取り付けることができるヒモ収納カートリッジの一態様について、図１０で説明する。なお、本発明はこれら実施態様に何ら制約されるものではない。図中、６２は収納部、６２１は切り込み、６２２はヒモ取り出し口、６２３は蓋体、６２４は仮留めテープをそれぞれ示す。図に示すように、収納部６２は上部が開口した函体に形成されており、両端側底部には、ヒモ通し部材６のフック６１を挿入するための切り込み６２１がフック６１に対応する位置に設けられている。また、両端側上部には、ヒモ取り出し口６２２および蓋体６２３が設けられている。蓋体６２３は観音開きに可動するようになっており、結束用ヒモを収納部６２内に収めるとき、または、結束用ヒモを収納部６２から取り出す際に開閉させる。
【００２８】
以下に、ヒモ収納カートリッジの使用方法について説明する。まず、図１０に示すように、あらかじめ複数の結束用ヒモを収納部６２に収納しておき、その端部を仮留めテープ６２４で仮留めしておく。次に、切り込み６２１にフック６１を裏側より挿入しながらヒモ収納カートリッジをヒモ通し部材６の上に載置し、仮留めテープ６２４をはずす。結束作業を行う際は結束用ヒモのそれぞれの端部をフック６１から外して収納部６２から引き出し、後は、その輪を結束対象物の角に掛けて結びあわせればよい。このように、本発明の結束補助器具にヒモ収納カートリッジを取り付けて使用することにより、一回のみのヒモ通し作業で結束作業を連続して行うことができ、更には、いちいちヒモを適宜な長さに繰り出したりカットしたりする手間も省けるため、作業量も大幅に軽減する。
【００２９】
かかるヒモ収納カートリッジにあらかじめ収納する結束用ヒモは、図１１（ａ）に示すように、輪にしたヒモを二つ繋ぎ合わせたものや、図１１（ｂ）に示す、一本のヒモの一端を同ヒモの途中に結んで輪を作り、その結び目が移動自在になるようにしたものが好ましい。図１１（ａ）の態様は結束対象物の下部における交差が不要となるし、図１１（ｂ）の態様は、結束対象物に合わせたヒモの長さの調整が容易となるからである。なお、結束に用いるヒモの素材に関しては、特に制限はなく、ＰＰヒモ、ＰＥヒモ、麻ヒモ、紙ヒモ、綿ヒモなどを利用することが出来る。さらに、収納部６２内に収納した複数の結束用ヒモをそれぞれ色分けしておいたり、ヒモ同士の間に仕切となるような紙をあらかじめ挟んでおけば、取り出すときに間違って他のヒモを取り分ける心配がないため好ましい。
【産業上の利用可能性】
【００３０】
以上説明したように、本発明の結束補助器具は、新聞・雑誌等を処分するときに簡便に結束することができる補助具としての利用のほか、不使用時には、不要な新聞・雑誌等を積み重ねて置いておくことが出来るストッカーとしての利用も可能である。また、新聞・雑誌などの紙類に限らず、例えば、段ボール箱を梱包するときなどの結束作業にも利用が期待できる。
【図面の簡単な説明】
【００３１】
【図１】本発明に係る結束補助器具を示す斜視図。
【図２】本発明に係る結束補助器具を示す平面図。
【図３】本発明に係る結束補助器具の固定板を示す斜視図。
【図４】本発明に係る結束補助器具のヒモ通し部材を示す斜視図。
【図５】本発明に係る結束補助器具を用いた結束作業の流れを示した平面図。
【図６】本発明に係る結束補助器具を用いた結束作業の流れを示した平面図。
【図７】本発明に係る結束補助器具を用いた結束作業の流れを示した平面図。
【図８】本発明に係る結束補助器具を用いた結束作業の流れを示した平面図。
【図９】本発明に係る結束補助器具を用いた結束作業の流れを示した平面図。
【図１０】ヒモ収納カートリッジの一態様を示した斜視図。
【図１１】ヒモ収納カートリッジにあらかじめ収納する結束用ヒモの態様を示した図。
【符号の説明】
【００３２】
１  …  …  結束補助器具
２  …  …  基台
３  …  …  溝部
４  …  …  底上げ部
５  …  …  固定部材
６  …  …  ヒモ通し部材
７  …  …  かんぬき部
８  …  …  ヒモ通しリング
９  …  …  ヒモ固定部
１０  …  …  ヒモ切り用カッター
１１  …  …  ヒモ保持部
１２  …  …  キャスター
６２  …  …  収納部
７１  …  …  取り付け孔
７２  …  …  受け部材
６１１  …  …  ローラー部
６２１  …  …  切り込み
６２２  …  …  ヒモ取り出し口
６２３  …  …  蓋体
６２４  …  …  仮留めテープ
ａ１−２…  …  基台上面を縦横にそれぞれ二分割する中心線により四面に分割したときに溝部が対角線に設けられていない側の面
ｂ１−２…  …  基台上面を縦横にそれぞれ二分割する中心線により四面に分割したときに溝部が対角線に設けられている側の面
Ｏ  …  …  結束対象物
Ｓ  …  …  結束用ヒモ
Ｘ  …  …  基台上面を縦に二分割する中心線
Ｙ  …  …  基台上面を横に二分割する中心線
以    上
【図１】
2006347632.tif 000003
【図２】
2006347632.tif 000004
【図３】
2006347632.tif 000005
【図４】
2006347632.tif 000006
【図５】
2006347632.tif 000007
【図６】
2006347632.tif 000008
【図７】
2006347632.tif 000009
【図８】
2006347632.tif 000010
【図９】
2006347632.tif 000011
【図１０】
2006347632.tif 000012
【図１１】
2006347632.tif 000013